(57)【要約】      （修正有）【課題】安定してデータ配信を行うことができる通信装置、通信制御システム、通信制御方法、及び通信制御プログラムを提供する。【解決手段】通信制御システム１は、通信装置１００と、発信用サーバ１１１と、データ配信用サーバ１１０と、を含む。通信装置は、外部からの着信を受けて一定時間継続することにより、発信制限状態に移行し、発信制限状態中に外部からの着信に対して応答することにより、発信制限状態を解除し、外部との間で電話回線を介したデータ配信が可能になる。【選択図】図１
2020129750.tif 000002
【特許請求の範囲】
【請求項１】
外部からの着信を一定時間継続することにより、発信制限状態に移行し、
前記発信制限状態中に外部からの着信に対して応答することにより、前記発信制限状態を解除し、外部との間で電話回線を介したデータ配信が可能になる、
通信装置。
【請求項２】
前記外部からの着信は、特定番号又は該特定番号と関連付けられた番号からの着信である、
請求項１に記載の通信装置。
【請求項３】
出力制御部と、出力部と、を備え、
前記出力制御部によって前記出力部をＯＮにすることで前記発信制限状態に移行する、請求項１に記載の通信装置。
【請求項４】
入力検出部と、センサと、を更に備え、
前記入力検出部によって前記センサの状態をＯＮであることにより、前記発信制限状態にあることを検出する、
請求項２に記載の通信装置。
【請求項５】
外部装置が通信装置に対して電話回線を介してデータ配信する通信制御システムであって、
通信装置が外部装置からの着信を一定時間継続することにより、発信制限状態に移行し、
前記通信装置が前記発信制限状態中に前記外部装置からの着信に応答するにより、前記発信制限状態が解除され、前記外部装置と前記通信装置との間でデータ配信が行われる、
通信制御システム。
【請求項６】
前記外部装置は、発信用装置とデータ配信用装置とを備え、
前記通信装置が前記発信用装置からの着信を一定時間継続することにより、発信制限状態に移行し、
前記通信装置が前記発信制限状態中に前記データ配信用装置からの着信に対して応答するにより、前記データ配信用装置と前記通信装置との間でデータ配信が行われる、
請求項５に記載の通信制御システム。
【請求項７】
出力制御部と、出力部と、を備え、
前記出力制御部によって前記出力部をＯＮにすることで前記発信制限状態に移行する、
請求項６に記載の通信制御システム。
【請求項８】
入力検出部と、センサと、を更に備え、
前記入力検出部によって前記センサの状態をＯＮであることで前記発信制限状態にあることを検出する、
請求項７に記載の通信制御システム。
【請求項９】
外部からの着信を一定時間継続することにより、発信制限状態に移行し、
前記発信制限状態中に前記外部からの着信に対して応答することにより、前記発信制限状態を解除し、外部との間で電話回線を介したデータ配信が行われる、
通信制御方法。
【請求項１０】
外部からの着信を一定時間継続することにより、発信制限状態に移行する処理と、
前記発信制限状態中に外部からの着信に対して応答することにより、前記発信制限状態を解除し、外部との間で電話回線を介したデータ配信を行う処理と、
をコンピュータに実行させる通信制御プログラム。
【発明の詳細な説明】
【技術分野】
【０００１】
本発明は通信装置、通信制御システム、通信制御方法、及び通信制御プログラムに関する。
【背景技術】
【０００２】
１つの電話回線と複数の電話機とが交換機に接続されたシステムにおいて、１つの電話機が電話回線を使用している場合には、他の電話機は電話回線を使用することはできない。もしも、このような１つの電話機が電話回線を使用中の状況で、他の電話機に電話回線を使用させたいのであれば、現在使用している電話回線を強制切断する必要がある。
【０００３】
しかしながら、電話回線の強制切断は、現在電話回線を使用しているユーザにとっては想定外の出来事である。そのため、他の電話機が電話回線を使用しようとする度に毎回強制切断が行われるような構成では、現在電話回線を使用しているユーザにとって不都合となる。
【０００４】
そこで、電話回線を効率的に利用可能なシステムが求められている。例えば、特許文献１に記載の発呼制御装置は、発呼元電話機からの発呼要求を受け付けたが、他の電話機が回線を利用しているため空き回線が無い場合に、前記発呼元電話機に発呼要求している状態のまま待機をさせると共に発呼の実行を保留し、前記他の電話機による回線の利用が終了して回線が空いたことを契機として発呼を実行する。
【先行技術文献】
【特許文献】
【０００５】
【特許文献１】特開２０１６−１４６５６２号公報
【発明の概要】
【発明が解決しようとする課題】
【０００６】
ところで、こうしたシステムにおいて、不具合やセキュリティホールなどにより、複数の通信装置に対して、ファームウェアやシステムデータ等の配信が電話回線経由で行われている。こうしたデータ配信は、比較的時間を要し、電話回線を占有してしまうため、回線利用のさらなる効率化が求められている。しかし、電話回線を介して、多数の通信端末装置に対して、ファームウェアやシステムデータを配信しようとする際、この電話回線が通信装置からのデータの通知や通話などに使用され、回線が輻輳していると、こうした配信が失敗してしまう場合があった。
【０００７】
本発明は、このような問題点を解決するためになされたものであり、安定してデータ配信を行うことが可能な通信装置、通信制御システム、通信制御方法、及び通信制御プログラムを提供することを目的とする。
【課題を解決するための手段】
【０００８】
本発明の第１の態様にかかる通信装置は、外部からの着信を一定時間継続することにより、発信制限状態に移行し、
前記発信制限状態中に外部からの着信に対して応答することにより、前記発信制限状態を解除し、外部との間で電話回線を介したデータ配信が可能になる。
【０００９】
本発明の第２の態様にかかる通信制御システムは、外部装置が通信装置に対して電話回線を介してデータ配信する通信制御システムであって、
通信装置が外部装置からの着信を一定時間継続することにより、発信制限状態に移行し、
前記通信装置が前記発信制限状態中に前記外部装置からの着信に応答するにより、前記発信制限状態が解除され、前記外部装置と前記通信装置との間でデータ配信が行われる。
【００１０】
本発明の第３の態様にかかる通信制御方法は、外部からの着信を一定時間継続することにより、発信制限状態に移行し、
前記発信制限状態中に前記外部からの着信に対して応答することにより、前記発信制限状態を解除し、外部との間で電話回線を介したデータ配信が行われる。
【００１１】
本発明の第４の態様にかかる通信制御プログラムは、外部からの着信を一定時間継続することにより、発信制限状態に移行する処理と、
前記発信制限状態中に外部からの着信に対して応答することにより、前記発信制限状態を解除し、外部との間で電話回線を介したデータ配信を行う処理と、
をコンピュータに実行させる。
【発明の効果】
【００１２】
本発明によれば、安定してデータ配信を行うことが可能な通信装置、通信制御システム、通信方法及び通信プログラムを提供することができる。
【図面の簡単な説明】
【００１３】
【図１】本発明の実施の形態１にかかる、多機能固定電話機の構成を示すブロック図である。
【図２】本発明の実施の形態１にかかる通信制御システムの動作シーケンスを説明する図である。
【図３】本発明の実施の形態２にかかる、多機能固定電話機の構成を示すブロック図である。
【図４】本発明の実施の形態２にかかる通信制御システムの動作シーケンスを説明する図である。
【図５】制御部のハードウェア構成の一例を示すブロック図である。
【発明を実施するための形態】
【００１４】
実施の形態１
以下、図面を参照して本発明の実施の形態について説明する。
図１を参照すると、本実施の形態にかかる通信制御システムは、通信装置１００と、発信用サーバ１１１と、データ配信用サーバ１１０と、を含むものである。発信用サーバ１１１は、通信装置１００に対して発信するための発信専用サーバである。データ配信用サーバ１１０は、１つ以上の通信装置１００に対して、ファームウェアやシステムデータ等のデータ配信を行うためのサーバである。なお、電話回線は１回線につき、１発信又は１通信しか行うことができないので、図１では、便宜上、発信用サーバ１１１と、データ配信用サーバ１１０とを別々に示している。しかし、図３に示すように、これらの機能を有する単一の共用サーバ２１０を設けるようにしてもよい。
【００１５】
図１では、簡略化のため、単一の通信装置１００のみが図示されているが、電話交換機１２０を経由して複数の通信装置１００が接続され得る。
【００１６】
通信装置１００は、通信制御を行う装置である。通信装置１００は、図１に示すように、回線制御部１０１と、出力制御部１０２と、入力検出部１０３と、出力部１０４と、センサ１０５と、を備える。通信装置１００は、回線制御部１０１で、電話回線１２１を介して電話交換機１２０と接続されている。ここでいう電話交換機１２０は、電話回線を相互接続し、電話網を構築するためのものである。電話網とは、公衆電話網であってもよいし、ＦＯＭＡ（Freedom Of Mobile multimedia Access）やＬＴＥ（Long Term Evolution）であってもよい。つまり、電話網は、有線であってもよいし、無線であってもよい。出力制御部１０２は、出力部１０４のＯＮ／ＯＦＦをコントロールすることができる。入力検出部１０３は、センサ１０５のＯＮ／ＯＦＦを検出することができる。
【００１７】
出力制御部１０２により、出力部１０４がＯＮとなるとセンサ１０５もＯＮとなる。データ配信用サーバ１１０は電話回線１２１及び電話交換機１２０を介して通信装置１００との通信が可能である。発信用サーバ１１１は電話回線１２１及び電話交換機１２０を介して通信装置１００と通信可能に接続されている。データ配信用サーバ１１０と発信用サーバ１１１はＬＡＮ（Local Area Network）回線１３０を介して互い通信可能に接続されている。
【００１８】
次に、図２を参照して、本発明の実施の形態にかかるデータ配信方法を説明する。
データ配信用サーバ１１０は、通信装置１００に対するファームウェアやシステムデータ等のデータ配信を開始するため、発信用サーバ１１１へＬＡＮ回線１３０を経由して確認開始信号（ＣＳＳ）を通知する（ステップＳ１）。これにより、次のデータ配信の準備が行われる。該ＣＳＳを受信した発信用サーバ１１１は、通信装置１００へ電話回線１２１及び電話交換機１２０を経由して発信すると、通信装置１００は発信用サーバ１１１のその発信に対して着信する（ステップＳ２）。通信装置１００は、着信番号から、発信用サーバ１１１からの着信であると判定し、その着信を一定時間（Ｔ１）継続する（ステップＳ３）。
【００１９】
発信用サーバ１１１は、着信が一定時間（Ｔ１）継続できたことにより、通信装置１００が通信可能であると認識する。そして、発信用サーバ１１１は一定時間（Ｔ１）後に通信装置１００に対して、その着信を停止させる（ステップＳ４）。本システムでは、それ以降、当該通信装置１００に対してデータ配信が可能である（受信準備ＯＫ）と判定することができる（ステップＳ４）。
【００２０】
本実施の形態では、データ配信に先立ってデータ配信用サーバ１１０と通信装置１００との間で着信（Ｓ１０）及び応答（Ｓ１１）動作を確実に行うため、通信装置１００からの発信を制限している。すなわち、通信装置１００は、着信停止（Ｓ４）に続いて、前述した発信用サーバ１１１の着信番号と関連付けられたデータ配信用サーバ１１０からの着信（後述するステップＳ１０）が想定されるため、発信制限状態に移行するようにしている。具体的には、通信装置１００は、出力制御部１０２によって出力部１０４をＯＮにし（ステップＳ５）、所定時間（Ｔ２）、ＯＮ状態を維持するようにしている（ステップＳ６）。これにより、所定時間（Ｔ２）、通信装置１００からの発信が禁止され、データ配信時における電話回線の占有を防止でき、結果的に安定したデータ配信を実施することができる。
【００２１】
通信装置１００は入力検出部１０３によってセンサ１０５の状態をＯＮであること（発信制限状態）を検出することができる。通信装置１００は、所定の要因発生時、別の電話番号（例えば、不図示の別のサーバ又は別の通信装置）に発信しようとしても、その発信は制限されることになる（ステップＳ７）。ここで、データ配信用サーバ１１０は、データ配信のための発信が可能か、発信用サーバ１１１に問い合わせる（ステップＳ８）。発信用サーバ１１１は、この問い合わせに対して、通信装置１００が発信可能である（発信ＯＫ）と応答する（ステップＳ９）。
【００２２】
データ配信用サーバ１１０は、電話回線を介して通信装置１００へ発信する（ステップＳ１０）。通信装置１００はデータ配信用サーバ１１０の発信に対して応答する（ステップＳ１１）。通信装置１００はこの着信応答により、出力制御部１０２によって出力部１０４をＯＦＦにする（ステップＳ１２）。通信装置１００は入力検出部１０３によってセンサ１０５の状態をＯＦＦであると検出する（ステップＳ１３）。通信装置１００は要因発生での発信の制限を解除する（ステップＳ１４）。これにより、データ配信用サーバ１１０は通信装置１００と双方向で通信し、データ配信を行うことができる（ステップＳ１５）。このようにして、安定したデータ配信を実施することができる。また、このように、発信抑制機能を外部センサで外だしすることにより、発信抑制機能を複雑な通信関連処理とは別処理にすることで、処理全体を簡略化することができる。
【００２３】
データ配信終了後、通信装置１００はデータ配信用サーバ１１０との通信を切断する（ステップＳ１６）。それ以降は、発信制限は解除されているので、通信装置１００は要因発生で別の電話番号に発信することが可能となる。
【００２４】
また、比較的時間を要するデータ配信（ステップＳ１５）中に、発信用サーバ１１１は、次のデータ配信先（別の通信装置）を探すために、発信動作（ステップＳ２，Ｓ３，Ｓ４等）を行ってもよい。
【００２５】
以上説明した実施の形態によれば、データ配信用サーバ１１０からのデータ配信成功率を上昇させることができ、データ配信用サーバに対する通信装置のレスポンスを迅速化することができる。また、ファームウェアやシステムデータ等のデータ配信に要する通信時間を短縮できるため、通信料金を抑制することができる。さらに、通信装置に設けたセンサのＯＮ／ＯＦＦで実現できるため、データ配信に伴う判断が簡略化できる。
【００２６】
実施の形態２
図３では、第１の実施形態と同一の構成要素は、図１と同一の符号を付し、適宜説明を省略する。
図３を参照すると、本実施の形態にかかる通信制御システムは、通信装置１００と、共用サーバ２１０と、を含むものである。共用サーバ２１０は、前述した発信用サーバ１１１とデータ配信用サーバ１１０との両方の機能を有するサーバである。共用サーバ２１０からは、少なくとも２本の電話回線１２１を設けるようにする。これにより、共用サーバ２１０は、データ配信中に、次のデータ配信先を探すために、並列して発信を行うことができる。
【００２７】
通信装置１００は、図３に示すように、回線制御部１０１と、出力制御部１０２と、入力検出部１０３と、出力部１０４と、センサ１０５と、を備える。通信装置１００は、回線制御部１０１で、電話回線１２１を介して電話交換機１２０と接続されている。出力制御部１０２は、出力部１０４のＯＮ／ＯＦＦをコントロールすることができる。入力検出部１０３は、センサ１０５のＯＮ／ＯＦＦを検出することができる。
【００２８】
出力制御部１０２により、出力部１０４がＯＮとなるとセンサ１０５もＯＮとなる。共用サーバ２１０は電話交換機１２０を介して通信装置１００との通信が可能である。
【００２９】
次に、図４を参照して、本発明の実施の形態にかかるデータ配信方法を説明する。
共用サーバ２１０は、通信装置１００に対するファームウェアやシステムデータ等のデータ配信を開始するため、通信装置１００へ電話回線１２１及び電話交換機１２０を経由して発信し、通信装置１００は共用サーバ２１０のその発信に対して着信する（ステップＳ４０２）。通信装置１００は、着信番号から、共用サーバ２１０からの着信であると判定し、その着信を一定時間（Ｔ１）継続する（ステップＳ４０３）。
【００３０】
共用サーバ２１０は、着信が一定時間（Ｔ１）継続できたことにより、通信装置１００が通信可能であると認識する。そして、共用サーバ２１０は一定時間（Ｔ１）後に通信装置１００に対して、その着信を停止させる（ステップＳ４０４）。本システムでは、それ以降、当該通信装置１００に対してデータ配信が可能である（受信準備ＯＫ）と判定することができる（ステップＳ４０４）。
【００３１】
本実施の形態では、データ配信に先立って共用サーバ２１０と通信装置１００との間で着信（Ｓ４１０）及び応答（Ｓ４１１）動作を確実に行うため、通信装置１００からの発信を制限している。すなわち、通信装置１００は、着信停止（Ｓ４）に続いて、共用サーバ２１０からの着信（後述するステップＳ４１０）が想定されるため、発信制限状態に移行するようにしている。具体的には、通信装置１００は、出力制御部１０２によって出力部１０４をＯＮにし（ステップＳ５）、所定時間（Ｔ２）ＯＮ状態を維持するようにしている（ステップＳ４０６）。これにより、所定時間（Ｔ２）、通信装置１００からの発信が禁止され、データ配信時における電話回線の占有を防止でき、結果的に安定したデータ配信を実施することができる。
【００３２】
通信装置１００は入力検出部１０３によってセンサ１０５の状態をＯＮであること（発信制限状態）を検出することができる。通信装置１００は、所定の要因発生時、別の電話番号（例えば、不図示の別のサーバ又は別の通信装置）に発信しようとしても、その発信は制限されることになる（ステップＳ４０７）。
【００３３】
共用サーバ２１０は、通信装置１００へ発信する（ステップＳ４１０）。通信装置１００は共用サーバ２１０の発信（前記特定番号の着信）に対して応答する（ステップＳ４１１）。通信装置１００はこの着信応答により、出力制御部１０２によって出力部１０４をＯＦＦにする（ステップＳ４１２）。通信装置１００は入力検出部１０３によってセンサ１０５の状態をＯＦＦであると検出する（ステップＳ４１３）。通信装置１００は要因発生での発信の制限を解除する（ステップＳ４１４）。これにより、共用サーバ２１０は通信装置１００と双方向で通信し、データ配信を行うことができる（ステップＳ４１５）。このようにして、安定したデータ配信を実施することができる。また、このように、発信抑制機能を外部センサで外だしすることにより、発信抑制機能を複雑な通信関連処理とは別処理にすることで、処理全体を簡略化することができる。
【００３４】
通信装置１００はデータ配信用サーバ１１０との通信を切断する（ステップＳ４１６）。それ以降は、発信制限は解除されているので、通信装置１００は要因発生で別の電話番号に発信することが可能となる。
【００３５】
以上説明した実施の形態によれば、データ配信用サーバ１１０からのデータ配信成功率を上昇させることができ、データ配信用サーバに対する通信装置のレスポンスを迅速化することができる。また、ファームウェアやシステムデータ等のデータ配信に要する通信時間を短縮できるため、通信料金を抑制することができる。さらに、通信装置に設けたセンサのＯＮ／ＯＦＦで実現できるため、データ配信に伴う判断が簡略化できる。
【００３６】
図５は、本発明に係る通信制御システムの通信装置１００，発信用サーバ１１１、データ配信用サーバ１１０、及び共用サーバ２１０の各制御部のハードウェア構成の一例を示すブロック図である。制御部２０１は、図５に示すように、ＣＰＵ（Central Processing Unit）２０１Ａと、主記憶装置２０１Ｂと、補助記憶装置２０１Ｃと、外部インタフェース２０１Ｄと、を備える。ＣＰＵ２０１Ａが通信制御プログラムを実行することにより、通信装置１００の各部の処理が実行される。また、通信制御プログラムは、例えば、補助記憶装置２０１Ｃに記憶されている。ＣＰＵ２０１Ａは、プログラムを補助記憶装置２０１Ｃから読み出して主記憶装置２０１Ｂに展開し、当該プログラムに従って処理を実行する。ＣＰＵ２０１Ａが通信制御プログラムを実行することにより、制御部２０１は、各種処理の機能演算部として機能する。
【００３７】
補助記憶装置２０１Ｃは、非一時的コンピュータ可読有形媒体の例である。非一時的コンピュータ可読媒体の他の例として、外部インタフェース２０１Ｄを介して接続される磁気ディスク、光磁気ディスク、ＣＤ−ＲＯＭ（Compact Disk Read Only Memory）、ＤＶＤ−ＲＯＭ（Digital Versatile Disk Read Only Memory）、及び半導体メモリ等が挙げられる。また、このプログラムが通信回線によって制御部２０１に配信される場合、配信を受けた制御部２０１がそのプログラムを主記憶装置２０１Ｂに展開し、上記の処理を実行してもよい。
【００３８】
また、プログラムは、通信装置１００における処理の一部を実現するためのものであってもよい。さらに、プログラムは、補助記憶装置２０１Ｃに既に記憶されている他のプログラムと組み合わせることによって通信装置１００における処理を実現する差分プログラムであってもよい。
【００３９】
また、通信装置１００の各構成要素の一部または全部は、汎用または専用の回路（circuitry）、プロセッサ等やこれらの組み合わせによって実現されてもよい。これらは、単一のチップによって構成されてもよいし、バスを介して接続される複数のチップによって構成されてもよい。各構成要素の一部または全部は、上述した回路等とプログラムとの組み合わせによって実現されてもよい。
【００４０】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、ＢＤ（Blu-ray（登録商標） Disc）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４１】
なお、本発明は上記実施の形態に限られたものではなく、趣旨を逸脱しない範囲で適宜変更することが可能である。
【符号の説明】
【００４２】
１            通信制御システム
１００            通信装置
１０１            回線制御部
１０２            出力制御部
１０３            入力検出部
１０４            出力部
１０５            センサ
１１０            データ配信用サーバ
１１１            発信用サーバ
１２０            電話交換機
１２１            電話回線
１３０            ＬＡＮ回線
２１０            共用サーバ
【図１】
2020129750.tif 000003
【図２】
2020129750.tif 000004
【図３】
2020129750.tif 000005
【図４】
2020129750.tif 000006
【図５】
2020129750.tif 000007
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
電話交換機と電話回線を介して接続され、前記電話回線を制御する回線制御部を有し、
前記回線制御部は、外部の特定番号又は該特定番号と関連付けられた番号からの第１の着信が一定時間継続した後、前記第１の着信が停止することにより、通信装置からの発信を制限する発信制限状態に移行し、
前記発信制限状態中に外部の特定番号又は該特定番号と関連付けられた番号からの第２の着信に対して応答することにより、前記発信制限状態を解除し、外部との間で前記電話回線を介したデータ配信が可能になる、
通信装置。
【請求項２】
センサをＯＮ／ＯＦＦするための信号を出力する出力部と、前記出力部のＯＮ／ＯＦＦを制御する出力制御部と、を備え、
前記出力制御部は前記出力部をＯＮにすることで前記センサをＯＮにした後、前記回線制御部は、前記発信制限状態に移行する、請求項１に記載の通信装置。
【請求項３】
前記センサのＯＮ／ＯＦＦを検出する入力検出部を更に備え、
前記入力検出部は、前記センサの状態がＯＮであることを検出することにより、前記発信制限状態にあることを検出する、
請求項２に記載の通信装置。
【請求項４】
請求項１〜３のいずれか一項に記載の通信装置と、
前記電話交換機と前記電話回線を介して接続され、前記通信装置に対して前記電話回線を介して発信し、データを配信するサーバと、
を備える通信制御システム。
【請求項５】
電話交換機と電話回線を介して接続される通信装置が、
外部の特定番号又は該特定番号と関連付けられた番号からの第１の着信が一定時間継続した後、前記第１の着信が停止することにより、該通信装置からの発信を制限する発信制限状態に移行し、
前記発信制限状態中に外部の特定番号又は該特定番号と関連付けられた番号からの第２の着信に対して応答することにより、前記発信制限状態を解除し、外部との間で電話回線を介したデータ配信が行われる、
通信制御方法。
【請求項６】
外部の特定番号又は該特定番号と関連付けられた番号からの第１の着信が一定時間継続した後、前記第１の着信が停止することにより、通信装置からの発信を制限する発信制限状態に移行する処理と、
前記発信制限状態中に外部の特定番号又は該特定番号と関連付けられた番号からの第２の着信に対して応答することにより、前記発信制限状態を解除し、外部との間で電話回線を介したデータ配信を行う処理と、
をコンピュータに実行させる通信制御プログラム。